(57)【特許請求の範囲】
【請求項１】
プラスチック光ファイバをコネクタに着脱自在に接続するものであって、
前記コネクタの本体であるコネクタハウジングに、前記プラスチック光ファイバの接続方向を水平方向としてそれに向けて突設されプラスチック光ファイバを前壁の挿入孔から挿入し内側空間部に保持する箱体と、
前記箱体の内側空間部に収納され、前記接続方向に直交する上下方向に移動自在であって、前記挿入孔から内側空間部に挿入されたプラスチック光ファイバの外被に食い込んで位置固定する刃部を備えてなるコード固定手段と、
前記箱体の前方から前記接続方向に沿って後方に移動して当該箱体全体に被せられる箱状のもので、後部全体が開口され前記箱体の挿入孔と軸線を一致して設けられたファイバ孔を有すると共に、接続方向への移動によって前記コード固定手段を上下方向に強制移動させる移動手段を有してなる脱着スライダーと
を備え、
前記脱着スライダーを後方に移動させると、前記コード固定手段が下方向に移動して、前記刃部が前記プラスチック光ファイバの外被に食い込んで、前記プラスチック光ファイバを位置固定し、
前記脱着スライダーを前方に移動させると、前記コード固定手段が上方向に移動して、前記刃部が前記プラスチック光ファイバの外被から脱し、前記プラスチック光ファイバを解放する、
簡易接続光コネクタ。
【請求項２】
プラスチック光ファイバをコネクタに着脱自在に接続するものであって、
前記コネクタの本体であるコネクタハウジングに、前記プラスチック光ファイバの接続方向を水平方向としてそれに向けて突設されプラスチック光ファイバを前壁の挿入孔から挿入し内側空間部に保持する箱体と、
前記箱体の内側空間部に収納され、前記接続方向に直交する上下方向に移動自在であって、前記挿入孔から内側空間部に挿入されたプラスチック光ファイバの外被に食い込んで位置固定する刃部を備えてなるコード固定手段と、
前記箱体の前方から前記接続方向に沿って後方に移動して当該箱体全体に被せられる箱状のもので、後部全体が開口され前記箱体の挿入孔と軸線を一致して設けられたファイバ孔を有すると共に、接続方向への移動によって前記コード固定手段を上下方向に強制移動させる移動手段を有してなる脱着スライダーと
を備え、
箱体の内側空間部には、ファイバ用載置台と、前記接続方向に直交する方向の左右の側壁に上端が開口された前記内側空間部に貫通する上下方向の溝部と、前記内側空間部の上部にコード固定手段の収納用に開口された開口部とが形成され、
コード固定手段には、プラスチック光ファイバに上下方向から跨ぐような門形の逃げ部を有した固定ハウジングと、該固定ハウジングの左右側壁に前記箱体の左右の溝部に嵌合しそれに沿って前記開口部から下方に移動自在にされ設けられた駆動伝達部と、前記固定ハウジングと一体に装着され前記挿入されたプラスチック光ファイバの外被のみに食い込む刃部を設けた固定金具とを有する、
簡易接続光コネクタ。
【請求項３】
コード固定手段の駆動伝達部は、脱着スライダーの後方の開口部から当該脱着スライダーの左右側壁に設けられた導入溝を経て前方へ移動し、該導入溝の抜去防止用の突起を前記左右側壁を左右に押し広げることで乗り越えて、前記脱着スライダーの移動手段に至って嵌合する、
請求項２に記載の簡易接続光コネクタ。
【請求項４】
コード固定手段の駆動伝達部は、脱着スライダーの移動手段に嵌合した場合に、当該脱着スライダーの左右側壁の外側に突出しない、
請求項２又は３に記載の簡易接続光コネクタ。
【請求項５】
プラスチック光ファイバをコネクタに着脱自在に接続するものであって、
前記コネクタの本体であるコネクタハウジングに、前記プラスチック光ファイバの接続方向を水平方向としてそれに向けて突設されプラスチック光ファイバを前壁の挿入孔から挿入し内側空間部に保持する箱体と、
前記箱体の内側空間部に収納され、前記接続方向に直交する上下方向に移動自在であって、前記挿入孔から内側空間部に挿入されたプラスチック光ファイバの外被に食い込んで位置固定する刃部を備えてなるコード固定手段と、
前記箱体の前方から前記接続方向に沿って後方に移動して当該箱体全体に被せられる箱状のもので、後部全体が開口され前記箱体の挿入孔と軸線を一致して設けられたファイバ孔を有すると共に、接続方向への移動によって前記コード固定手段を上下方向に強制移動させる移動手段を有してなる脱着スライダーと
を備え、
脱着スライダーの移動手段は、左右の側壁に内外貫通して設けられ前後方向の両端部で上下方向の位置に段差のあるガイド溝である、
簡易接続光コネクタ。
【請求項６】
脱着スライダーの移動手段は、左右の側壁に内外貫通して設けられ前後方向の両端部で上下方向の位置に段差のあるガイド溝である、
請求項１乃至４いずれかに記載の簡易接続光コネクタ。
【請求項７】
プラスチック光ファイバをコネクタに着脱自在に接続するものであって、
前記コネクタの本体であるコネクタハウジングに、前記プラスチック光ファイバの接続方向を水平方向としてそれに向けて突設されプラスチック光ファイバを前壁の挿入孔から挿入し内側空間部に保持する箱体と、
前記箱体の内側空間部に収納され、前記接続方向に直交する上下方向に移動自在であって、前記挿入孔から内側空間部に挿入されたプラスチック光ファイバの外被に食い込んで位置固定する刃部を備えてなるコード固定手段と、
前記箱体の前方から前記接続方向に沿って後方に移動して当該箱体全体に被せられる箱状のもので、後部全体が開口され前記箱体の挿入孔と軸線を一致して設けられたファイバ孔を有すると共に、接続方向への移動によって前記コード固定手段を上下方向に強制移動させる移動手段を有してなる脱着スライダーと
を備え、
箱体の下端面と脱着スライダーの底壁部内側との間に、プラスチック光ファイバを接続した際に若しくは接続解除した際に、前記脱着スライダーが接続位置で位置固定されるように、若しくは、前記箱体から抜去されないように、抵抗する係合部とこれに係合する係止部とが設けられている、
簡易接続光コネクタ。
【請求項８】
箱体の下端面と脱着スライダーの底壁部内側との間に、プラスチック光ファイバを接続した際に若しくは接続解除した際に、前記脱着スライダーが接続位置で位置固定されるように、若しくは、前記箱体から抜去されないように、抵抗する係合部とこれに係合する係止部とが設けられている、
請求項１乃至６いずれかに記載の簡易接続光コネクタ。
【発明の詳細な説明】
【技術分野】
【０００１】
本発明は、プラスチック光ファイバ（ＰＯＦと称することもある：以下同じ）コード若しくはケーブルを、コネクタ等に接続した場合に、確実に把持するように着脱自在で抜去力を高めたファイバ固定構造を有する、プラスチック光ファイバ用の光コネクタに関するものである。
【背景技術】
【０００２】
従来、ＰＯＦコード（ケーブル）と、コネクタ（プラグ、レセプタクル含む）若しくはモジュールとの接続においては、前記ＰＯＦコードをカッタなどで切断し、このカットしたＰＯＦコードを前記コネクタ等に挿入して位置固定する。前記ＰＯＦコードがコネクタ等から抜け出さないようにするため、その抜去防止対策としては、
従来例１：ＰＯＦコードの保護材を変形させて押さえ込む挿入部を設けている光コネクタを形成する（特許文献１）、
従来例２：ハウジング本体に固定金具挿入孔が穿設され、固定金具が前記固定金具挿入孔に挿入され、ＰＯＦケーブルのプラスチック光ファイバ本体に変形を与えること無く保持する。即ち、ＰＯＦケーブルに対応する楔状突起が形成され、プラスチック光ファイバ本体に接触せず、被覆に突き刺さるようになっている（特許文献２）。
【先行技術文献】
【特許文献】
【０００３】
【特許文献１】特開２００２−２２８８７９号公報
【特許文献２】特開平１０−３１１９３４号公報
【発明の概要】
【発明が解決しようとする課題】
【０００４】
しかし、従来のＰＯＦコード用の接続光コネクタにおいて、従来例１では単にＰＯＦコードの外周を押圧手段で押圧して、その摩擦力で保持するようになっているので、抜去力が１０Ｎ〜２０Ｎと弱いものである。また、従来例２では、固定金具でＰＯＦコードの被覆部文を突き刺しているので、抜去力が向上するが、ＰＯＦコードをプラグコネクタ等に一度組み立ててしまうと、接続解除することが容易ではなく、ＰＯＦコードを着脱自在で簡単に接続する構造ではない。本発明に係る簡易接続光コネクタは、このような課題を解決するために提案されたものである。
【課題を解決するための手段】
【０００５】
本発明に係る簡易接続光コネクタの上記課題を解決して目的を達成するための要旨は、  プラスチック光ファイバをコネクタに着脱自在に接続するものであって、前記コネクタの本体であるコネクタハウジングに、前記プラスチック光ファイバの接続方向を水平方向としてそれに向けて突設されプラスチック光ファイバを前壁の挿入孔から挿入し内側空間部に保持する箱体と、前記箱体の内側空間部に収納され、前記接続方向に直交する上下方向に移動自在であって、前記挿入孔から内側空間部に挿入されたプラスチック光ファイバの外被に食い込んで位置固定する刃部を備えてなるコード固定手段と、前記箱体の前方から前記接続方向に沿って後方に移動して当該箱体全体に被せられる箱状のもので、後部全体が開口され前記箱体の挿入孔と軸線を一致して設けられたファイバ孔を有すると共に、接続方向への移動によって前記コード固定手段を上下方向に強制移動させる移動手段を有してなる脱着スライダーとでなることである。
【０００６】
前記箱体の内側空間部には、ファイバ用載置台と、前記接続方向に直交する方向の左右の側壁に上端が開口された前記内側空間部に貫通する上下方向の溝部と、前記内側空間部の上部にコード固定手段の収納用に開口された開口部とが形成され、
前記コード固定手段には、プラスチック光ファイバに上下方向から跨ぐような門形の逃げ部を有した固定ハウジングと、該固定ハウジングの左右側壁に前記箱体の左右の溝部に嵌合しそれに沿って前記開口部から下方に移動自在にされ設けられた駆動伝達部と、前記固定ハウジングと一体に装着され前記挿入されたプラスチック光ファイバの外被のみに食い込む刃部を設けた固定金具とを有することである。
【０００７】
前記脱着スライダーの移動手段は、左右の側壁に内外貫通して設けられ前後方向の両端部で上下方向の位置に段差のあるガイド溝であることである。
【０００８】
前記箱体の下端面と脱着スライダーの底壁部内側との間に、プラスチック光ファイバを接続した際に若しくは接続解除した際に、前記脱着スライダーが接続位置で位置固定されるように、若しくは、前記箱体から抜去されないように、抵抗する係合部とこれに係合する係止部とが設けられていることである。
【０００９】
前記コード固定手段の駆動伝達部は、脱着スライダーの後方の開口部から当該脱着スライダーの左右側壁に設けられた導入溝を経て前方へ移動し、該導入溝の抜去防止用の突起を前記左右測位壁を左右に押し広げることで乗り越えて、前記脱着スライダーの移動手段に至って嵌合することを含むものである。
【００１０】
前記コード固定手段の駆動伝達部は、脱着スライダーの移動手段に嵌合した場合に、当該脱着スライダーの左右側壁の外側に突出しないことを含むものである。
【発明の効果】
【００１１】
本発明の簡易接続光コネクタによれば、プラスチック光ファイバが光コネクタに着脱自在に接続されるとともに、コード固定手段によりプラスチック光ファイバの外被のみに食い込むようにした固定金具で位置固定されるので、従来の倍以上の強い抜去力を得ることができる。
【００１２】
また、脱着スライダーの接続方向への移動により、自動的に移動手段でコード固定手段を強制的に移動させて、プラスチック光ファイバを位置固定させることができる。また、脱着スライダーを位置固定解除方向（前方向）へ移動させることで、コード固定手段が強制的に位置固定解除方向（上方向）へ移動し、容易にプラスチック光ファイバを光コネクタから取り外すことができる、と言う優れた効果を奏するものである。
【図面の簡単な説明】
【００１３】
【図１】本発明に係る簡易接続光コネクタ１の主な構成物の分解斜視図（Ａ）、コード固定手段と固定金具と一体に固定した状態での分解斜視図（Ｂ）、組み付け完了した簡易接続光コネクタ１の斜視図（Ｃ）である。
【図２−Ａ】同本発明の簡易接続光コネクタ１の、プラスチック光ファイバを挿入した状態の側面図（Ａ）、正面から見た断面図（Ｂ）である。
【図２−Ｂ】同本発明の簡易接続光コネクタ１の、プラスチック光ファイバを挿入し位置固定して接続した状態の側面図（Ａ）、同じく正面から見た断面図（Ｂ）である。
【図３】同本発明の簡易接続光コネクタ１でプラスチック光ファイバ挿入前の状態に係る、正面図（Ａ）、側面視した縦断面図（Ｂ）である。
【図４】同本発明に係る簡易接続光コネクタ１における、コネクタハウジングの正面図（Ａ）、側面図（Ｂ）、底面図（Ｃ）、平面図（Ｄ）である。
【図５】図４におけるＸ−Ｘ線に沿った断面図である。
【図６】図４におけるＹ−Ｙ線に沿った断面図である。
【図７】図４におけるＺ−Ｚ線に沿った断面図である。
【図８】同本発明に係る簡易接続光コネクタ１における、コード固定手段の正面図（Ａ）、側面図（Ｂ）、底面図（Ｃ）、平面図（Ｄ）である。
【図９】図８におけるＸ−Ｘ線に沿った断面図である。
【図１０】図８におけるＹ−Ｙ線に沿った断面図である。
【図１１】同本発明に係る簡易接続光コネクタ１における、脱着スライダーの正面図（Ａ）、側面図（Ｂ）、背面図（Ｃ）、側面視した縦断面図（Ｄ）である。
【図１２】同本発明に係る簡易接続光コネクタ１における、コード固定手段の駆動伝達部が脱着スライダーの導入溝から突起を乗り越えて溝部に収まる様子を説明する、一部を拡大した断面図である。
【発明を実施するための形態】
【００１４】
本発明に係る簡易接続光コネクタ１は、図１に示すように、接続すべきプラスチック光ファイバの一端部を、固定金具４によって前記プラスチック光ファイバの外被のみに食い込んで位置固定し、プラスチック光ファイバが着脱自在であって且つその抜去力を飛躍的に向上させるものである。
【実施例１】
【００１５】
本発明に係る簡易接続光コネクタ１の構成について説明する。図１乃至図２−Ｂに示すように、合成樹脂製のコネクタハウジング２と、該コネクタハウジング２と一体成形される箱体２ａと、該箱体２ａの内側空間部２ｄに収納されるコード固定手段３と、該コード固定手段３に圧入して固着される固定金具４と、前記箱体２ａに被せられ前後方向にスライドする脱着スライダー５とからなる。以下、各構成物ついて順に説明する。
【００１６】
図１乃至図２−Ｂ、図４に示すように、前記コネクタ１の本体である合成樹脂製のコネクタハウジング２と、該コネクタハウジング２に前記プラスチック光ファイバ６を接続する接続方向を前後方向として前方向に向けて突設され、プラスチック光ファイバ６を前壁２ｂの挿入孔２ｃから後方へと挿入し、内側空間部２ｄに保持する箱体２ａがある。
【００１７】
図４（Ａ）〜（Ｄ）、図５乃至図７に示すように、前記コネクタハウジング２は、脚部２ｇによりプリント基板などに位置決めされるとともに、端子７（図２−Ａ参照）が半田付けなどされて実装されるものであり、後部の収納空間２ｊにプラスチック光ファイバ６が接続される光部品（図示せず）などを収納している。
【００１８】
前記箱体２ａは、前記コネクタハウジング２に一体成形されるものであり、例えば、水平方向とする前後方向において前方に突設されている。この箱体２ａの内側空間部２ｄには、上部半円形状に立設させ形成したファイバ用載置台２ｋと、前記接続方向に直交する方向の左右の側壁に上端が開口された前記内側空間部２ｄに貫通する上下方向の溝部２ｅと、前記内側空間部２ｄの上部に、図１に示すコード固定手段３の収納用に開口された、開口部２ｆとが形成されている。
【００１９】
図４（Ｂ），（Ｃ）に示すように、前記箱体２ａの下端部には、係合部としての突起が前後に２箇所で設けられており、固定突起２ｈは、脱着スライダー５が後方に押し込まれてプラスチック光ファイバを固定したときに、その状態を維持すべく脱着スライダー５側の係止部と係合して位置固定するための突起である。
【００２０】
また、図３に示すように、抜去防止突起２ｉは、前記脱着スライダー５を前方向（接続解除方向）に移動させたときの、箱体２ａから抜去されるのを、前記脱着スライダー５の係合部に係止して、防止する突起である。なお、前記箱体２ａ側の係合部と、脱着スライダー５側の係止部との関係は、位置固定と抜去防止であるので、そのような、例えば、孔部とその孔に係合する突起部などの関係でも良く、その実施形態は種々あり特に限定するものではない。
【００２１】
前記コネクタハウジング２は、図６乃至図７に示すように、収納空間２ｊの上部が全面開口されており、側壁２ｎに係合突起２ｐが形成されている。図１、図３（Ｂ）に示すように、前記収納空間２ｊ全体を覆うように金属製のシールドケース２ｍが被せられ、前記係合突起２ｐで取付け固定される。
【００２２】
次に、図１乃至図２−Ｂに示すように、前記コード固定手段３は、前記箱体２ａの内側空間部２ｄに収納され、前記接続方向に直交する上下方向に移動自在であって、前記挿入孔２ｃから内側空間部２ｄに挿入された、図２−Ａに示すプラスチック光ファイバ６の外被（保護層）６ｂに食い込んで、図２−Ｂに示すように、位置固定する作用をする。
【００２３】
図８乃至図１０に示すように、前記コード固定手段３には、プラスチック光ファイバ６に上下方向から跨ぐような門形の逃げ部３ａを有した合成樹脂製の固定ハウジング３ｂと、該固定ハウジング３ｂの左右側壁３ｃ，３ｄに前記箱体２ａの左右の溝部２ｅに嵌合しそれに沿って前記開口部２ｆから下方に移動自在にされ設けられた駆動伝達部３ｅと、前記固定ハウジング３ｂと圧入により一体にして金具台３ｆ上に載置されて、接続時において前記挿入されたプラスチック光ファイバ６の外被６ｂのみに食い込む刃部４ａを設けた金属製の固定金具４（図１を参照）とを有する。
【００２４】
前記駆動伝達部３ｅは、一例として、棒状の突起物としているが、脱着スライダー５の前後方向の移動を、上下方向の移動に変換する伝達機構であれば、この実施例に特に限定するものではない。
【００２５】
また、前記固定金具４は、前記固定ハウジング３ｂとは別体に形成されて、組み付け時において、下方への圧入により左右側壁３ｃ，３ｄに押しつけられながら摺動し、爪４ｂで食い込み抜け止めされて、固定ハウジング３ｂに一体化されるものである。なお、前記固定金具４として前記固定ハウジング３ｂと別体にしたが、この実施例に限らず、固定ハウジング３の脚部などに刃部を一体に形成することで、前記固定金具４を省く実施例とすることも可能である。要は、上下方向に強制移動されるコード固定手段３に、刃部が設けられていれば良いのである。
【００２６】
次に、図１乃至図２−Ｂに示すように、脱着スライダー５は、前記箱体２ａの前方から前記接続方向に沿って後方に移動して、当該箱体２ａ全体に被せられる箱状筒体の脱着ハウジング５ｂである。図１１に示すように、該脱着ハウジング５ｂの後部全体が開口されており、一方、前部５ｃの前壁には、前記箱体２ａの挿入孔２ｃと軸線を一致して設けられたファイバ孔５ａを有すると共に、接続方向への移動によって前記コード固定手段３を上下方向に強制移動させる移動手段５ｄを、左右の側壁に有してなる。
【００２７】
前記脱着スライダー５の前部５ｃは、上下方向に膨出しており、接続・接続解除時において、指で掴みやすくして、「押し」−「引き」の操作を容易にしている。
【００２８】
前記脱着スライダー５の移動手段５ｄは、脱着ハウジング５ｂにおける左右の側壁に内外貫通して設けられ、前後方向の両端部で上下方向の位置に段差のある、カムとしてのガイド溝である。この移動手段５ｄの水平方向の前後方向の移動により、前記コード固定手段３が強制的に駆動伝達部３ｅを介して上下方向に移動されるものである。
【００２９】
また、図２−Ａ乃至図２−Ｂ、図３（Ｂ）に示すように、前記箱体２ａの下端面と、脱着スライダー５の底壁部５ｅ内側との間に、プラスチック光ファイバ６を接続した際に、前記脱着スライダー５が接続状態を維持するように位置固定するための、若しくは、接続を解除している状態で前記箱体５ａから抜去されないように抵抗する、それぞれに作用するための係止部５ｈが設けられている。
【００３０】
前記係止部５ｈは、前述した箱体２ａの下端部に設けられた係合部としての、固定突起２ｈと、抜去防止突起２ｉとに係止するものである。なお、前記底壁部５ｅは、係合時に撓みやすいように、脱着ハウジング５ｂの左右側壁と縁切りされている。
【００３１】
図１に示すように、脱着スライダー５と箱体２ａとの関係において、コード固定手段３の駆動伝達部３ｅは、脱着スライダー５の移動手段５ｄに嵌合した場合に、当該脱着スライダー５の左右側壁の外側に突出しないように、設定されている。
【００３２】
また、図１２に示すように、脱着スライダー５とコード固定手段３との嵌合関係について説明する。前記コード固定手段３の駆動伝達部３ｅは、脱着スライダー５の後方の開口部５ｉから当該脱着スライダー５の左右側壁に設けられた導入溝５ｆを経て前方へ移動し、該導入溝５ｆの抜去防止用の突起５ｇを、前記左右測位壁を左右に押し広げることで乗り越えて、前記脱着スライダー５の移動手段５ｄに至って嵌合するものである。
【００３３】
以上の様にして形成される各構成部品を組み付けてなるプラスチック光ファイバ用の簡易接続光コネクタ１を使用すれば、図２−Ａに示すように、脱着スライダー５のファイバ孔５ａからプラスチック光ファイバ６の一端部を差込み、図２−Ｂに示すように、前記脱着スライダー５を後方に押し込む。
【００３４】
前記脱着スライダー５の後方への移動により、移動手段５ｄのカム作用により、コード固定手段３が上下方向で下方に強制移動させられる。該コード固定手段３とともに、固定金具４も下方に移動し、その刃部４ａで、前記プラスチック光ファイバ６のコア６ａを避けて外被６ｂのみに食い込む。
【００３５】
こうして、接続完了状態で、プラスチック光ファイバ６の抜去力が、例えば、４９Ｎ以上の抵抗力を発揮するものである。前記刃部４ａは、プラスチック光ファイバ６のコア６ａには何ら影響を与えないので、当該プラスチック光ファイバ６の広い伝送帯域を確保して、抜去力を向上させることができるのである。
【００３６】
なお、前記脱着スライダー５を前方向に移動させれば、コード固定手段３が上に移動し刃部４ａが外被６ｂから脱し、固定金具４による位置固定も作用しなくなるので、容易にプラスチック光ファイバ６を簡易接続光コネクタ１から引き抜いて接続解除することができる。
【産業上の利用可能性】
【００３７】
本発明に係る簡易接続光コネクタ１によれば、コードやケーブルの接続構造として、光通信に限らず、一般の電気的信号の接続用のコネクタにおいても広く適用することができるものである。
【符号の説明】
【００３８】
１          簡易接続光コネクタ、
２          コネクタハウジング、              ２ａ        箱体、
２ｂ        前壁、                            ２ｃ        挿入孔        
２ｄ        内側空間部、                      ２ｅ        溝部、
２ｆ        開口部、                          ２ｇ        脚部、
２ｈ        固定突起、                        ２ｉ        抜去防止突起、
２ｊ        収納空間、                        ２ｋ        ファイバ用載置台、
２ｍ        シールドケース、  
３          コード固定手段、                  ３ａ        逃げ部、
３ｂ        固定ハウジング、                  ３ｃ，３ｄ  側壁、
３ｅ        駆動伝達部、                      ３ｆ        金具台、
４          固定金具、                        ４ａ        刃部、
４ｂ        爪、
５          脱着スライダー、                  ５ａ        ファイバ孔、
５ｂ        脱着ハウジング、                  ５ｃ        前部、
５ｄ        移動手段、                        ５ｅ        底壁部、
５ｆ        導入溝、                          ５ｇ        突起、
５ｈ        係止部、                          ５ｉ        開口部、
６          プラスチック光ファイバ、          ６ａ        コア、
６ｂ        外被（保護層）、
７          端子。
【図１】
0006539834.tif 000002
【図２−Ａ】
0006539834.tif 000003
【図２−Ｂ】
0006539834.tif 000004
【図３】
0006539834.tif 000005
【図４】
0006539834.tif 000006
【図５】
0006539834.tif 000007
【図６】
0006539834.tif 000008
【図７】
0006539834.tif 000009
【図８】
0006539834.tif 000010
【図９】
0006539834.tif 000011
【図１０】
0006539834.tif 000012
【図１１】
0006539834.tif 000013
【図１２】
0006539834.tif 000014